(57)【特許請求の範囲】
【請求項１】
開口部を有した見返し部材と、前記開口部から視認される表示パネルと、前記表示パネルの背面を覆う取付部材と、を備え、前記表示パネルは、緩衝部材によって保持されると共に、見返し部材と取付部材との間に収納される表示装置において、
前記緩衝部材は、対面する２対の周壁部と、前記周壁部によって囲まれた収納部と、前記周壁部から前記収納部方向に突出した底面部とを備え、
前記底面部は、係止片を有すると共に前記表示パネルの裏面中央付近を長手方向に延出した横断片と、前記横断片の前記係止片が係合される係合部と、を備えたことを特徴とする表示装置。
【請求項２】
前記横断片は、前記取付部材に面する側に凸状の押圧部を備えていることを特徴とする請求項１に記載の表示装置。
【請求項３】
前記緩衝部材は、硬度の異なる複数の弾性材料からなることを特徴とする請求項１に記載の表示装置。
【請求項４】
前記周壁部は、前記底面部を形成する弾性部材よりも硬度が高い弾性材料からなることを特徴とする請求項１に記載の表示装置。
【発明の詳細な説明】
【技術分野】
【０００１】
本発明は、例えば自動車やオートバイの計器装置に搭載される表示装置に関し、特に表示パネルの耐振構造に関する。
【背景技術】
【０００２】
この種の表示装置として例えば下記特許文献１に記載されたものが知られている。この表示装置は、機能部品と機能部品を支持する支持体との間に介在される緩衝部材であって、直列に配置された複数の緩衝部材によって、機能部品に伝わる振動及び衝撃を緩衝することができる。
【先行技術文献】
【特許文献】
【０００３】
【特許文献１】特開２０１０−２５７５０４号公報
【発明の開示】
【発明が解決しようとする課題】
【０００４】
しかしながら、前記特許文献１に記載の表示装置は、機能部品を一方向に支持しているため、前後左右に対する耐振性が弱く、また、機能部材の中心部分を支持していないため、振動が加わった際に、機能部品が歪んでしまうという問題点があった。
【０００５】
そこで、本発明は前述した問題点に着目し、表示パネル中央の耐振性を向上することができる表示装置を提供することを目的とする。
【課題を解決するための手段】
【０００６】
本発明は、開口部を有した見返し部材と、前記開口部から視認される表示パネルと、前記表示パネルの背面を覆う取付部材と、を備え、前記表示パネルは、緩衝部材によって保持されると共に、見返し部材と取付部材との間に収納される表示装置において、前記緩衝部材は、対面する２対の周壁部と、前記周壁部によって囲まれた収納部と、前記周壁部から前記収納部方向に突出した底面部とを備え、前記底面部は、係止片を有すると共に前記表示パネルの裏面中央付近を長手方向に延出した横断片と、前記横断片の前記係止片が係合される係合部と、を備えたことによって、表示パネルの裏面中央付近の耐振性を向上することができる。
【０００７】
また本発明は、前記横断片は、前記取付部材に面する側に凸状の押圧部を備えていることによって、表示パネルの裏面中央付近の耐振性を向上することができる。
【０００８】
また本発明は、前記緩衝部材は、硬度の異なる複数の弾性材料からなるものであることによって、表示パネルの裏面中央付近の耐振性を向上することができる。
【０００９】
また本発明は、前記周壁部は、前記底面部を形成する弾性部材よりも硬度が高い弾性材料からなるものであることによって、表示パネルの側面は硬度の高い弾性部材からなる周壁部によって支持され、表示パネルの裏面は周壁部よりも硬度の低い弾性部材によって支持されるので、機能部品に伝わる振動を分散することができる。
【発明の効果】
【００１０】
本発明によれば、表示パネル中央の耐振性を向上することができる。
【図面の簡単な説明】
【００１１】
【図１】本発明の実施形態による表示装置の断面図（ハッチング省略）。
【図２】同実施形態による表示装置における緩衝部材の正面図。
【図３】図２のＡ−Ａ断面図。
【図４】同実施形態による表示装置における緩衝部材の背面図。
【図５】同実施形態による表示装置における緩衝部材の斜視図。
【発明を実施するための形態】
【００１２】
本発明の実施形態を図１から図３に基づいて説明する。
【００１３】
表示装置は、上ケース１と、表示パネル２と、緩衝部材３と、回路基板４と、見返し部材５と、取付部材６と、下ケース７とから主に構成されている。
【００１４】
上ケース１は、不透過性の合成樹脂から形成され、透視窓に透過性の前面ガラス１１が嵌め込まれ、内部に収納する表示パネル２を透視できるようになっている。
【００１５】
表示パネル２は、図示しないが、例えば一対のガラス基板間に液晶分子を封入してなる液晶パネルからなり、車両の走行距離や外気温等の車両情報を表示するものである。表示パネル２は、金属製のセルケース２１に収納され、例えばガラスエポキシ系もしくは紙フェノール系の基材を母材とした硬質の回路基板２２を有し、図示しない回路パターンや回路部品が搭載されている。また、回路基板２２の裏面側にはコネクタ（図示せず）が実装され、ＦＰＣ等によって表示パネル２と回路基板２２とが電気的に接続されている。
【００１６】
緩衝部材３は、例えば柔軟性を有する黒色の合成ゴムからなり、図２に示すように、表示パネル２の周縁を断面コ字状に囲うための対面する２対の周壁部（第１〜第４の周壁部３１ａ〜３１ｄ）と、第１〜第４の周壁部３１ａ〜３１ｄによって囲まれる収納部３２と、第１〜第４の周壁部３１ａ〜３１ｄから垂直に収納部３２方向に突出し、各周壁部の接続箇所に設けられる底面角部３３ａから３３ｄとから構成されている。
【００１７】
また、緩衝部材３は、表示パネル２の裏面中央付近を長手方向に延出した横断片３４と、横断片３４が係合される係合部３５とを有している。本実施形態では、第２の周壁部３１ｂからほぼ垂直に突出形成された係合部３５は、第１の周壁部３１ａからほぼ垂直に突出形成された横断片３４とほぼ同じ高さに位置し、横断片３４の端部に設けられた係止片３４２は、係合部３５の形状（Ｕ字型）に合うように円形としている。なお、係合部３５及び係止片３４２の形状は、係合部３５と係止片３４２とが係合可能であるならば適宜自由である。係合部３５は、横断片３４の端部に設けられていることによって、表示パネル２を収納部３２に嵌め込む際に開口部が大きく取れるので、作業効率がよい。
【００１８】
横断片３４は、図４に示すように、取付部材６に面する側に凸状の押圧部３４１を複数備えている。押圧部３４１は、見返し部材５及び取付部材６が下ケース７にネジ止めされる際に、押しつけられることで、取付部材６に当接する。取付部材６と表示パネル２との間には、緩衝部材２によって支持または当接する箇所と、緩衝部材２の底面部であって、底面角部３３や横断片３４や係合部３５などが形成されていない空間部分とが生じ、振動による影響を分散させることができる。
【００１９】
また、緩衝部材３は、硬度の異なる複数の弾性材料から成形することも可能である。その際は、周壁部３１は、底面部３３を形成する弾性部材よりも硬度が高い弾性材料から成形するのが好ましく、表示パネル２の側面は硬度の高い弾性部材からなる周壁部３１によって支持され、表示パネル２の裏面は周壁部３１よりも硬度の低い弾性部材によって支持されるので、表示装置にかかる振動は、底面部３３を形成する弾性部材によって分散され、表示パネル２に振動が伝わり難くすることができる。
【００２０】
見返し部材５は、不透過性の合成樹脂からなり、開口部５１緩衝部材３に収納された表示パネル２の視認領域以外を覆い隠すものであり、ビス穴を有し（図示せず）、ビス留めなどの方法で回路基板４に固定されている。
【００２１】
取付部材６は、金属製の板材であって、下ケース７内に配置され、ビス５２などによって固定されている。
【００２２】
下ケース７は、不透過性の合成樹脂から形成され、見返し部材５と取付部材６とがビス留めなどによって一体固定されるビス穴を有している（図示せず）。
【００２３】
このように構成される表示装置は、緩衝部材３の係止片３４２を係合部３５から外した状態で、表示パネル２を収納部３２に圧入配置する。さらに、表示パネル２が収納された緩衝部材３を見返し部材５に圧入配置し、見返し部材５及び取付部材６に設けられたビス穴と下ケース７とをビス留めすることで、押圧部３４１が取付部材６に押しつけられることで、表示パネル２の裏面中央を支持することができる。
【００２４】
このように、本実施形態は、開口部５１を有した見返し部材５と、開口部５１から視認される表示パネル２と、表示パネル２の背面を覆う取付部材６と、を備え、表示パネル２は、緩衝部材３によって支持されると共に、見返し部材５と取付部材６との間に収納される表示装置において、緩衝部材３は、対面する２対の周壁部３１ａ〜３１ｄと、周壁部３１ａ〜３１ｄによって囲まれた収納部３２と、周壁部３１ａ〜３１ｄから垂直に収納部３２方向に突出した底面部３３とを備え、底面部３３は、係止片３４２を有すると共に表示パネル２の裏面中央付近を長手方向に延出した横断片３４と、前記横断片３４の前記係止片３４２が係合される係合部３５と、を備えたことによって、表示パネル２の裏面側を横断片３４で支持することから、表示パネル２の裏面中央付近の耐振性を向上した表示装置を提供することができる。
【００２５】
また本実施形態では、横断片３４は、取付部材６に面する側に凸状の押圧部３４１を備えていることによって、見返し部材５と取付部材６とがネジ留めされる際に、表示パネル２の裏面中央付近に押圧部３４１が当接するので、表示パネルの裏面から中央部分を支持することが可能となり、表示パネル２の裏面中央付近の耐振性を向上した表示装置を提供することができる。
【００２６】
また本実施形態では、緩衝部材３は、硬度の異なる複数の弾性材料からなることによって、周壁部３１の硬度より押圧部３４１の硬度を低くすることで、表示パネル２に伝わる振動を分散することができる。
【００２７】
また本実施形態では、周壁部３１は、底面部３３を形成する弾性部材よりも硬度が高い弾性材料からなることによって、表示パネル２の側面は硬度の高い弾性部材からなる周壁部３１によって支持され、表示パネル２の裏面は周壁部３１よりも硬度の低い弾性部材からなる底面部３３によって支持されるので、表示装置にかかる振動は、底面部３３を形成する弾性部材によって分散され、表示パネル２に振動が伝わり難くすることができる。
【符号の説明】
【００２８】
１    上ケース
２    表示パネル
３    緩衝部材
５    見返し部材
６    取付部材
７    下ケース
３１  周壁部
３１ａ〜３１ｄ  第１の周壁部から第４の周壁部
３２  収納部
３３  底面部
３３ａ〜３３ｄ  底面角部
３４  横断片
３５  係合部
３４１  押圧部
３４２  係止片
【図１】
0005924051.tif 000002
【図２】
0005924051.tif 000003
【図３】
0005924051.tif 000004
【図４】
0005924051.tif 000005
【図５】
0005924051.tif 000006